(57)【要約】      （修正有）【課題】危険区域以外で使用され街中の景観を壊している赤色・黄色等のカラーコーンに被せ使用して、街中の景観を保持して美化するカラーコーン用街美化被せ具を得るにある。【解決手段】街中の景観を保持して美化できるようにカラーコーンに被せ使用するカラーコーン用街美化被せ具であって、カラーコーン用街美化被せ具は、不透明なプラスチックシート或いは、不透明なプラスチックフイルム、その他の不透明な布、又は、不透明な紙等で加工しやすく安価な材料を利用して、該材料の表面に、文字や絵柄を描き、又は、印刷して、被せようとするカラーコーンの形状に嵌めて合え合わせて被せることの出来る形状のカラーコーン用街美化被せ具を設ける構成である。【選択図】図１
0003138226.tif 000002
【実用新案登録請求の範囲】
【請求項１】
危険区域以外で使用され街中の景観を壊しているカラーコーンに被せ使用して街中の景観を美化するカラーコーン用街美化被せ具（１００）であって、カラーコーン用街美化被せ具（１００）は、不透明なプラスチックシート或いは、不透明なプラスチックフイルム、その他の不透明な布、又は、不透明な紙等を用い、加工しやすく安価な材料を使用して、該材料の表面に、文字や絵柄を描き、又は、印刷して、被せようとするカラーコーンの形状に嵌め合わせて被せることの出来る形状に設ける構成であることを特徴とするカラーコーン用街美化被せ具。
【請求項２】
上記記載のカラーコーン用街美化被せ具（１００）であって、前記記載のカラーコーン用街美化被せ具（１００）と組み合わせて使用するコーンバー用街美化被せ具（１０１）は、不透明なプラスチックシート或いは、不透明なプラスチックフイルム、その他の不透明な布、又は、不透明な紙等を用い、加工しやすく安価な材料を使用して、該材料の表面に、文字や絵柄を描き、又は、印刷して、被せようとするコーンバーの形状に嵌め合わせて被せることの出来る形状のコーンバー用街美化被せ具（１０１）を設けて、コーンバー用街美化被せ具（１０１）は、カラーコーン用街美化被せ具（１００）と組み合わせて使用する構成であることを特徴とする請求項１記載のカラーコーン用街美化被せ具。
【考案の詳細な説明】
【技術分野】
【０００１】  本考案は、工事現場とか交通規制の特定した場所等、危険区域や規制の場所等を知らせる保安用品の一つであるカラーコーン（登録商標）は、単独で使用される場合と、カラーコーンと、組み合わせて使用される黒色と黄色の模様の付いたコーンバーがある。カラーコーンと、コーンバーは、特定した場所を区切るには使い勝手が良いので安全地帯の公園とか、商店街とか、団地等でよく利用されている。街中に設置されているカラーコーンや、コーンバーは街中の景観を壊している。街中の景観に副うようにカラーコーンと、コーンバーに絵柄を描いた街美化用被せ具を被せ使用して街中を美化しようとするカラーコーン用街美化被せ具に関する。
【背景技術】
【０００２】  従来から、道路工事等の危険箇所を特定する保安用具として危険を知らせる赤色のカラーコーンが多く用いられている。カラーコーンの材質はポリエチレンが多く使用されている。コーンバーに電球を内蔵するコーンライトもありこれ等は、ポリプロピレンが使用されている。カラーコーンの色は、赤・青・緑・黄・白等で、高さは７０ｃｍが一般的で、１８０ｃｍ・１２０ｃｍ・９０ｃｍ・４５ｃｍもあることが知られている。コーンバーの色は黒・黄が主流で、コーンバーカラーと称する色付きもあることが知られている。【０００３】  図７は、従来のカラーコーンに重石を使用した斜視図を示した図である。
従来のカラーコーン７は高さが７０ｃｍでカラーコーン７の底部は３５ｃｍ程度の正方形である。設置するカラーコーン７が簡単に移動しないように、当該底部の重石となるように整形されたゴム製の２Ｋｇ〜３ｋｇ程度の重量のある重石７１が設けられている。【０００４】  図８は、コーンバーの使用例の斜視図を示した図である。
上記記載のカラーコーン７はコーンバー８と組み合わせで使用されている。黒色と黄色の模様が付いたコーンバー８を、カラーコーン７と組み合わせて工事現場等の危険区域の特定した場所を区切るために用いられている。コーンバーの色は黒と黄が主流で、他に、赤と白や、青と白や、緑と白や、黄と白等があり、長さは２ｍと、１．５ｍがあることが知られている。【０００５】  図１３は、反射カラーコーンの斜視図を示した図である。
カラーコーンに反射シートを貼り合わせて設けた反射カラーコーン１３である。道路工事現場・交通事故処理現場・交通取締り現場等で、該現場を区分あるいは明示するために使用されている。夜間の認識性を確保するために表面に反射シートが印刷又は、貼り合わされているが、頻繁に設置と撤去が繰り返されて使用されるので持ち運びの都度、反射カラーコーン１３は、積み重ねる衝撃によって、反射シートが損傷すること、剥離する等の欠陥があるので、カラーコーンと、反射シートの寿命がマッチしていない。
その解決手段として、カラーコーンに反射シートを貼り合わせるのではなく、透明なプラスチックスフイルムの裏面に反射シートを貼り付けたカバーを設けて、それを使用してカラーコーンをカバーするカラーコーン用カバーが提案されている。（例えば、特許文献１参照。）。【０００６】    ［図１４］カラーコーンに文字を記載又は印刷した斜視図を示した図である。
［図１５］カラーコーンに文字や図柄を記載又は印刷した斜視図を示した図である。
［図１６］カラーコーンに図柄を記載又は印刷した斜視図を示した図である。
図１４から図１６を説明する。
図１４は、使用目的に応じた文字として、車両出入口・立入禁止・引越作業中等を記載又は印刷して設けたカラーコーン１４である。図１５は、車椅子障害者専用であることを絵柄と文字を記載又は印刷して設けたカラーコーン１５である。図１６は、自転車駐車禁止を図柄にして描き又は印刷して設けたカラーコーン１６である。カラーコーン１４、１５、１６に記載又は印刷した文字や絵柄は、積み重ねる衝撃によって、簡単に印刷面が損傷する等の欠点がある。【０００７】  図９は、カラーコーンに使用する表示具の斜視図を示した図である。
カラーコーン７に嵌め合わせて被せることの出来る透明なプラスチックシートの表面に文字を記載又は印刷した表示具９を設けている。図９は、文字を駐車禁止と表示印刷してある。表示具９の他を表現する文字は、駐車禁止・お客様専用・左折・左折して下さい・本日休業など使用目的に応じて任意に記載又は印刷して使用される。（例えば、特許文献２参照。）【０００８】  図１０は、図９の表示具をカラーコーンに使用した斜視図を示した図である。
透明なプラスチックシートに駐車禁止と印刷した表示具９をカラーコーン７に嵌め合わせて被せて使用している。（例えば、特許文献２参照。）【０００９】  図１１は、カラーコーンに使用するカバー具の斜視図を示した図である。
カラーコーン１２に貫通した穴で描かれた絵柄の穴の縁による怪我を防ぐことを目的に、カラーコーン１２に嵌め合わせて被せることの出来る透明なプラスチックシートからなるカバー具１１を設けた。（例えば、特許文献３参照。）。【００１０】  図１２は、図１１のカバー具をカラーコーンに使用した斜視図を示した図である。
カラーコーン１２に模様が付されている。模様は、絵柄を貫通した穴によって描いたカラーコーン１２を設けてある。カラーコーン１２に描かれた貫通した穴の縁で怪我をしないようにカバー具１１をカラーコーン１２に嵌め合わせて被せて使用している。（例えば、特許文献３参照。）。【００１１】  図１７は、一方面を標示する装着部裏面の斜視図を示した図である。
カラーコーン７を見かけても、何のための注意や規制か解らないことがしばしばあったので、その主旨を周知させるために表示板４を設けて標示することにした。カラーコーン７に装着できる装着部１７を設け、装着部１７の外周に係止部２を設け、係止部２と、３は一方面を標示する標示板４を保持して設け、カラーコーン７に装着してある。（例えば、特許文献４参照。）。【００１２】  図１８は、図１７の装着部をカラーコーンに装着した斜視図を示した図である。
図１７の装着部１７をカラーコーン７に装着して、何のための注意や規制か一見して解るように標示板４を設けてある。（例えば、特許文献４参照。）。【００１３】  図１９は、三方面を標示する標示板を係止する装着部の斜視図を示した図である。
カラーコーン７の三方面を標示できるように装着部１９外周の三方面に係止部５を設け、係止部５は三方面を標示する標示板４を保持するように設けてある。（例えば、特許文献４参照。）。【００１４】  図２０は、カラーコーンの三面を標示する装着部に標示板を設けて使用した斜視図し示した図である。
係止部５の三方面に標示板４を係止して設けた装着部１９をカラーコーン７に装着した。何のための注意や規制か三方面から解るように標示板４を設けてある。（例えば、特許文献４参照。）。【００１５】
【特許文献１】特開２００３−４１５３５号公報
【特許文献２】実登第３０８２７８１号公報
【特許文献３】実登第３１１９９７３号公報
【特許文献４】特開２００３−５５９２１号公報
【考案の開示】
【考案が解決しようとする課題】
【００１６】  従来から用いられているカラーコーンの事例と、特許文献等を上記に記載して説明した。
カラーコーンに嵌め合わせて被せることの出来る透明なプラスチックシートの表面に文字を印刷した表示具９とか、また、貫通して描いたカラーコンーンの模様の縁で怪我をしないように嵌め合わせて被せる透明なプラスチックシートで設けられた標示具１１がある。カラーコーンの色は赤・青・緑・黄・白等の状態で安全地帯の街中に使用されているので、カラーコーンに透明なプラスチックシートを嵌め合わせて被せて使用してもカラーコーンの色の状態は、そのまま示されるので街中の景観を壊している。又、黒色と黄色のコーンバーもカラーコーンと組み合わせて街中に使用されるので街中の景観を壊している。【００１７】  図７から図２０に示すように、工事現場や危険区域等を知らせる保安用品の一つとして使用されている。カラーコーンとコーンバーは保安用品として発展したものであるため、街中の美化を配慮したものではない。カラーコーンは公園とか、商店街とか、団地等に使用され大変役立っている。又、カラーコーンとコーンバーは組み合わせて使用され役立っているが、カラーコーンの色と黒色と黄色のコーンバーの色は、街中の景観を壊している。又、コーンバーは単独で使用されることは例外である。【００１８】  本考案は、上記記載のような課題を解決するためにカラーコーン用街美化被せ具と、コーンバー用街美化被せ具を提供することを目的としている。【００１９】  本考案の前記ならびにその他の目的と新規な特徴は次の説明を添付図面と照らし合わせて読むと、より完全に明らかになるであろう。ただし図面はもっぱら解説のためのものであって、本考案の技術的範囲を限定するものではない。
【課題を解決するための手段】
【００２０】  上記目的を達成するために、本考案は、危険区域以外で使用され街中の景観を壊しているカラーコーンに被せ使用して街中の景観を美化できるカラーコーン用街美化被せ具であって、カラーコーン用街美化被せ具は、不透明なプラスチックシート或いは、不透明なプラスチックフイルム、その他の不透明な布、又は、不透明な紙等を用い、加工しやすく安価な材料を使用した。該材料の表面に、文字や絵柄を描き、又は印刷して、被せようとするカラーコーンの形状に嵌め合わせて被せることの出来る形状に設けた構成のカラーコーン用街美化被せ具である。【００２１】  また、請求項２記載の考案では、請求項１記載の考案であって、上記記載のカラーコーン用街美化被せ具と組み合わせて使用するコーンバー用街美化被せ具であって、コーンバー用街美化被せ具は、不透明なプラスチックシート或いは、不透明なプラスチックフイルム、その他の不透明な布、又は、不透明な紙等で加工しやすく安価な材料である。該材料の表面に、文字や絵柄を描き、又は印刷して、被せようとするコーンバーの形状に嵌め合わせて被せることの出来る形状のコーンバー用街美化被せ具を設けた。コーンバー用街美化被せ具は、カラーコーン用街美化被せ具と組み合わせて使用する構成のカラーコーン用街美化被せ具である。
【考案の効果】
【００２２】  以下の説明から明らかになるように、本考案にあっては次に列挙する効果が得られる。【００２３】  本考案は、危険区域以外で使用され街中の景観を壊しているカラーコーンに被せ使用して街中の景観を美化できるカラーコーン用街美化被せ具であって、カラーコーン用街美化被せ具は、不透明なプラスチックシート或いは、不透明なプラスチックフイルム、その他の不透明な布、又は、不透明な紙等を用い、加工しやすく安価な材料を使用した。該材料の表面に、文字や絵柄を描き、又は印刷して、被せようとするカラーコーンの形状に嵌め合わせて被せることの出来る形状に設けた構成のカラーコーン用街美化被せ具であるので、街中の景観を壊している色である赤・青・緑・黄・白等のカラーコーンの表面をカラーコーン用街美化被せ具で覆い被せ使用して街中の景観を美化できる。工事現場や、危険区域で使用されなくなった文字や絵柄が消えかかり使用に耐えないカラーコーンであっても文字や絵柄を補修することなくカラーコーン用街美化被せ具で覆い被せて使用することが出来る。カラーコーン用街美化被せ具の形状は、カラーコーン形状の先端をカットして仕上げた場合と、カラーコーン形状の先端をカットされないで仕上げた場合があるが、どちらも街中の景観を保持できるように使用すればよい。カラーコーン用街美化被せ具は安価で使い勝手がよく、街中の美化に寄与することができる。【００２４】  また、請求項２記載の考案では、請求項１記載の考案であって、上記記載のカラーコーン用街美化被せ具と組み合わせて使用するコーンバー用街美化被せ具であって、コーンバー用街美化被せ具は、不透明なプラスチックシート或いは、不透明なプラスチックフイルム、その他の不透明な布、又は、不透明な紙等で加工しやすく安価な材料である。該材料の表面に、文字や絵柄を描き、又は印刷して、被せようとするコーンバーの形状に嵌め合わせて被せることの出来る形状のコーンバー用街美化被せ具を設けた。コーンバー用街美化被せ具は、カラーコーン用街美化被せ具と組み合わせて使用する構成のカラーコーン用街美化被せ具であるので、街中の安全地帯に使用されるカラーコーンと組み合わせて使用する。黒色と、黄色のコーンバーの表面の色は、街中の安全地帯の景観を壊しているので、コーンバーに嵌め合わせて被せることの出来るコーンバー用街美化被せ具で覆い被せる。カラーコーン用街美化被せ具１００と組み合わせて使用するコーンバー用街美化被せ具の文字や絵柄は、カラーコーン用街美化被せ具を引き立て街中の景観に副うような文字や絵柄を描き、又は、印刷して設けて、コーンバーの形状に嵌め合わせて被せることの出来る形状に加工してあるので簡単に使用できて街中の美化に寄与することができる。
【考案を実施するための最良の形態】
【００２５】  従来から街中で使用されているカラーコーンと、組み合わせで使用される黒色と黄色のコーンバーは街中の景観を壊しているので、カラーコーン用街美化被せ具と、コーンバー用街美化被せ具を被せ使用して街中の美化に寄与する。
以下、図面に示す実施するための最良の形態により、本考案を詳細に説明する。【００２６】  図１は、本考案のカラーコーン用街美化被せ具の斜視図を示した図である。図２は、図１を被せて使用した斜視図を示した図である。
図３は、本考案のカラーコーン用街美化被せ具の斜視図を示した図である。図４は、図３を被せて使用した斜視図を示した図である。
図１から図４を説明する。
カラーコーン用街美化被せ具の材料は、不透明で、印刷しやすく、安価で加工しやすい材料を選択した。選択した材料は、不透明なプラスチックシート或いは、不透明なプラスチックフイルム、又は、不透明な布、又は、不透明な紙等とした。該選択した材料に街の景観に副うような文字や絵柄を描き、又は、印刷して、被せようとするカラーコーンに嵌めて合わせて被せることの出来る形状に加工してカラーコーン用街美化被せ具１００を設けた。カラーコーン用街美化被せ具１００の形状は、カラーコーン形状の先端をカットして仕上げる場合と、又は、カラーコーン形状の先端をカットしないで仕上げる場合がある。街中の景観に副わない赤・青・緑・黄・白等の色をしたカラーコーンにカラーコーン用街美化被せ具１００を使用して街中の美化に寄与できる。カラーコーンにカラーコーン用街美化被せ具１００を隙間なくぴったりと被せる構造であるが綺麗であるため引き抜かれる恐れがあるので防止のため接着してもよい。【００２７】  図５は、本考案のコーンバー用街美化被せ具の斜視図を示した図である。
図６は、図５を使用して被せた斜視図を示した図である。図５と、図６を説明する。
コーンバー用街美化被せ具１０１は、前記記載のカラーコーン用街美化被せ具１００と組み合わせて使用するコーンバー用街美化被せ具１０１であって、コーンバー用街美化被せ具１０１は、不透明なプラスチックシート或いは、不透明なプラスチックフイルム、その他の不透明な布、又は、不透明な紙等の表面に、文字や絵柄を描き、又は印刷して、被せようとするコーンバー８の形状に嵌め合わせて被せることの出来る形状のコーンバー用街美化被せ具１０１を設けた。コーンバー用街美化被せ具１０１は、カラーコーン用街美化被せ具１００を使用したカラーコーンと、組み合わせて使用する構成のカラーコーン用街美化被せ具である。街中で使用されている黒色と黄色のコーンバーにコーンバー用街美化被せ具１０１を被せて使用して街中を美化する。コーンバーにコーンバー用街美化被せ具１０１を隙間なくぴったりと被せる構造であるが接着してもよい。
【産業上の利用可能性】
【００２８】  本考案は、カラーコーンやコーンバーを製造、販売する産業で利用され、また、街中を美化しようとする事業で使用される。
【図面の簡単な説明】
【００２９】
【図１】本考案のカラーコーン用街美化被せ具の斜視図を示した図である。
【図２】図１を使用して被せた斜視図を示した図である。
【図３】本考案のカラーコーン用街美化被せ具の斜視図を示した図である。
【図４】図３を使用して被せた斜視図を示した図である。
【図５】本考案のコーンバー用街美化被せ具の斜視図を示した図である。
【図６】図５を使用して被せた斜視図を示した図である。
【図７】従来のカラーコーンに重石を使用した斜視図を示した図である。
【図８】従来のコーンバーの使用例の斜視図を示した図である。
【図９】従来のカラーコーン用の表示具の斜視図を示した図である。
【図１０】図９の表示具をカラーコーン使用した斜視図を示した図である。
【図１１】カラーコーン用のカバー具の斜視図を示した図である。
【図１２】図１１のカバー具をカラーコーンを使用した斜視図を示した図である。
【図１３】反射カラーコーンの斜視図を示した図である。
【図１４】カラーコーンに文字を記載又は印刷した斜視図を示した図である。
【図１５】カラーコーンに文字や図柄を印刷した斜視図を示した図である。
【図１６】カラーコーンに図柄を印刷した斜視図を示した図である。
【図１７】一方面をカラーコーンに標示する装着部の斜視図を示した図である。
【図１８】図１７の装着部をカラーコーンに装着した斜視図を示した図である。
【図１９】三方面を標示する装着部の斜視図を示した図である。
【図２０】図１７の装着部をカラーコーンに装着した斜視図を示した図である。
【符号の説明】
【００３０】    ２  係止部
３  係止部
４  標示版
５  係止部
７  カラーコーン
８  コーンバー
９  標示具
１１  カバー具
１２  カラーコーン
１３  カラーコーン
１４  カラーコーン
１５  カラーコーン
１６  カラーコーン
１７  装着部
１９  装着部
７１  重石
１００  カラーコーン用街美化被せ具
１０１  コーンバー用街美化被せ具
【図１】
0003138226.tif 000003
【図２】
0003138226.tif 000004
【図３】
0003138226.tif 000005
【図４】
0003138226.tif 000006
【図５】
0003138226.tif 000007
【図６】
0003138226.tif 000008
【図７】
0003138226.tif 000009
【図８】
0003138226.tif 000010
【図９】
0003138226.tif 000011
【図１０】
0003138226.tif 000012
【図１１】
0003138226.tif 000013
【図１２】
0003138226.tif 000014
【図１３】
0003138226.tif 000015
【図１４】
0003138226.tif 000016
【図１５】
0003138226.tif 000017
【図１６】
0003138226.tif 000018
【図１７】
0003138226.tif 000019
【図１８】
0003138226.tif 000020
【図１９】
0003138226.tif 000021
【図２０】
0003138226.tif 000022